(57)【要約】【課題】安全な方法で短時間に簡単にハードディスクを破壊し、コンピュータ管理者が目視で、データの読取りが不可能であることを確認できる装置を提供すること。【解決手段】本発明は、ベース上に、被破壊ハードディスク駆動装置を収納する収納ケースと、この収納ケースを包囲するカバーとを設け、このカバーに、圧力源により駆動するシリンダを取り付け、このシリンダのピストンロッドの先端に、前記被破壊ハードディスク駆動装置に向けて前記ピストンロッドを進退して複数個所に貫通穴を形成してハードディスクを破壊するパンチヘッドを設ける。ピストンロッドの先端に、複数本のパンチヘッドを設けて、同時に複数個所を破壊するようにしてもよいし、収納ケースを、ベース上で位置移動せしめて、ピストンロッドの複数回の進退により複数個所に貫通穴を形成してハードディスクを破壊せしめるようにしてもよい。【選択図】　　図１
2004071057.tif 000002
【特許請求の範囲】
【請求項１】
ベース上に、被破壊ハードディスク駆動装置を収納する収納ケースと、この収納ケースを包囲するカバーとを設け、このカバーに、圧力源により駆動するシリンダを取り付け、このシリンダのピストンロッドの先端に、前記被破壊ハードディスク駆動装置に向けて前記ピストンロッドを進退して複数個所に貫通穴を形成してハードディスクを破壊するパンチヘッドを設けたことを特徴とするハードディスクの破壊装置。
【請求項２】
ピストンロッドの先端に、複数個所に同時に貫通穴を形成してハードディスクを破壊する複数本のパンチヘッドを設けたことを特徴とする請求項１記載のハードディスクの破壊装置。
【請求項３】
被破壊ハードディスク駆動装置の収納ケースを、ベース上で位置移動せしめる移動手段を設け、ピストンロッドの複数回の進退により複数個所に貫通穴を形成してハードディスクを破壊せしめてなることを特徴とする請求項１記載のハードディスクの破壊装置。
【請求項４】
ベースとカバーとに、安全スイッチを設け、ハードディスク駆動装置収納ケース内部に、ハードディスク駆動装置の特定の端子と接続するコネクタを設け、前記安全スイッチの信号と、前記コネクタからのハードディスク駆動装置の種類を表す信号とを導出したときに、ハードディスクの識別信号とシリンダ加圧スタート信号を出力してハードディスクに貫通穴を形成して破壊するようにしたことを特徴とする請求項１、２又は３記載のハードディスクの破壊装置。
【請求項５】
ハードディスクの識別信号とシリンダ加圧スタート信号を入力したとき、圧力源へのシリンダ加圧信号を出力するとともに、収納ケースを、ベース上で位置移動せしめる移動手段の制御信号を出力するシーケンスコントロール回路を具備したことを特徴とする請求項１、２、３又は４記載のハードディスクの破壊装置。
【請求項６】
ハードディスク駆動装置収納ケースは、３．５インチサイズハードディスク駆動装置が収納できる大きさとし、２．５インチサイズハードディスク駆動装置を挿入するときは、前記３．５インチサイズハードディスク駆動装置と略同一形状の２．５インチサイズハードディスク駆動装置用アダプタを用いるようにしたことを特徴とする請求項１、２、３又は４記載のハードディスクの破壊装置。
【請求項７】
ベースの下部にキャスターを取り付けて可搬型としたことを特徴とする請求項１、２、３、４、５又は６記載のハードディスクの破壊装置。
【発明の詳細な説明】
【０００１】
【発明の属する技術分野】
本発明は、不要になったコンピュータを破棄する場合に、ハードディスク（磁気記録媒体）に記録されたデータの漏洩を防止するために確実に破壊するためのハードディスク駆動装置の破壊装置に関するものである。
【０００２】
【従来の技術】
近年、コンピュータは、処理するデータやソフトウェアが年々増大し、処理速度やハードディスクの容量を上げる必要に迫られているため、処理速度や記憶容量を数倍に上げたものに次々と入換えられている。その際、破棄されるコンピュータのハードディスクに残されたデータは、「ごみ箱を空にする」処理や「ハードディスクの初期化」をして、コンピュータがデータを認識しない状態で下取りや産業廃棄物として処分される。「ごみ箱を空にする」処理や「ハードディスクの初期化」では、そのデータの目次に当たる頭のビットをコンピュータが認識できないように替えただけであり、実際にハードディスクのデータを消す機能は無い。従って、これらのデータ部分には、新たなデータを上書きしない限り、データは、元の位置にそのまま残っていることになる。
【０００３】
この「ごみ箱を空にする」処理や「ハードディスクの初期化」をして一見消したと思われるデータは、誤って消してしまったデータを復活させるリカバーリソフトで簡単に復活してしまう。このため、破棄したコンピュータのハードディスクからデータの漏洩・流出がおきるおそれがあり、ハードディスクのデータを確実に消去する方法が必要とされてきた。
【０００４】
従来技術によるハードディスクのデータ消去方法として、次の４つの方法が挙げられる。
（１）ソフトウェアによる方法
ソフトウェアによりハードディスクのデータを消すものは、ディスクに新たなデータを３回〜７回上書きする事で、元のデータの残存磁気を残さないという方法である。これは、１回の書きこみでは微量の元データの磁気が残り、このデータを復元する事が可能であるため、３回〜７回の書き込みが必要となる。通常、１ＧＢ当たり１回の書きこみに約１分掛かるので、４０ＧＢのハードディスクに７回新たなデータを書きこむとすると、２８０分必要である。破棄するコンピュータが大量にある場合は、膨大な作業時間が必要であるという問題がある。
【０００５】
（２）強力な磁界を掛けて一括消去する方法
この方法は、短時間でハードディスクのデータを消去するために、コンピュータからハードディスク駆動装置のみを取り出して、ハードディスク駆動装置全体に６０００ガウス程度の強力な磁界を掛けてディスク面全体を同一方向に磁化することで、短時間にデータを消去する方法である。この方法は、磁気ヘッドの書きこみ磁界を超える強力な磁界を掛けるので、ハードディスクの制御用信号のサーボデータまで消してしまう。したがって、この方法でハードディスクのデータを消去した場合は、コンピュータがハードディスクを認識できない。しかし、データの消去むらや同一ケース内に複数枚あるディスクの内、消去されていないディスクが残る事がある。これらのハードディスクは、このハードディスク駆動装置をコンピュータが認識しないだけで、データを完全に消去した確認・検証は得られない。したがって、重要なデータの完全消去を必要とする場合は使用が難しい。
【０００６】
（３）ハンマーによって直接破壊する方法
この方法は、コンピュータからハードディスク駆動装置のみを取り出し、ハードディスク駆動装置のケースの上からハンマーで叩いて内蔵ディスクを破壊する方法である。しかし、ディスクのコア材料がアルミニュウムの場合は、ピンハンマーや大型のハンマーとタガネを用いても、複数枚内蔵されているディスクの全てを破壊するのは難しい作業である。ディスクのコア材がガラスの場合は、比較的容易にハードディスク駆動装置のケースをハンマーで叩く事で、ディスクを破壊できる。しかし、この方法も複数枚内蔵されているディスクの一部だけが破壊されて、無傷のディスクが残る事がある。したがって、このハンマーによるハードディスク破壊方法は、ハードディスク駆動装置を開封して、内蔵ディスクがデータ読み出し不可能な状態に変形しているか、完全に破壊されている事を確認する必要がある。ハードディスク駆動装置の開封は、特殊なドライバーを用い、更に隠しねじを探して除去する必要があるので、時間と熟練した作業者を必要とする。また、この作業は、けがなど非常に危険を伴う作業である。
【０００７】
（４）ドリルで穴を開ける方法
この方法は、ハードディスク駆動装置のディスク部分に、ドリルで穴を開ける方法である。しかし、この方法は、アルミディスクの場合小さなドリル穴ではディスク面の歪みが少なく、歪が少ないと再び回転させて読み取ることが可能となるため、読み取り不可能とするには、１５〜２０ｍｍφほどの大きな穴を複数個開ける必要がある。この作業は、複雑な内部構造のハードディスク駆動装置のケースに対して、直接大きな穴をドリルで開けるため、非常に危険な作業である。
【０００８】
【発明が解決しようとする課題】
廃棄したコンピュータのハードディスクのデータ漏洩は、データの消去が不完全なことによって起こる。しかし、年々能力改善の為に入換えで破棄するコンピュータの数は、膨大な数量になる。そして、ハードディスクの記憶容量も年々増大しており、上記（１）のソフトウェアによる消去は長い時間を必要とする。また、上記（２）の強力な磁力を用いてディスクの磁気記憶を短時間で消去する方法も、データが確実に消えたことを確認・検証できなければデータ漏洩の目的には無力である。そして、上記（３）及び（４）のハンマーやドリルによるハードディスク駆動装置のケースごと物理的に破壊する方法は、非常に危険な作業であり、また、内蔵ディスクの完全破壊を確認するには、ケースの開封など厄介な作業が必要である。
【０００９】
本発明は、上記問題点に鑑みなされたもので、大量の破棄すべきコンピュータのハードディスクのデータ漏洩を防ぐため、廃棄すべきコンピュータを他の場所へ運び出すことなく、そのコンピュータを使用していた者の管理下において、安全な方法で短時間に、かつ、簡単にハードディスクを破壊し、これを目視で確認する事を可能にして、ハードディスクのデータの読み取りが不可能であることを確認できるハードディスクの破壊装置を提供することを目的とするものである。
【００１０】
【課題を解決するための手段】
本発明は、ベース上に、被破壊ハードディスク駆動装置を収納する収納ケースと、この収納ケースを包囲するカバーとを設け、このカバーに、圧力源により駆動するシリンダを取り付け、このシリンダのピストンロッドの先端に、前記被破壊ハードディスク駆動装置に向けて前記ピストンロッドを進退して複数個所に貫通穴を形成してハードディスクを破壊するパンチヘッドを設けたことを特徴とするハードディスクの破壊装置である。
【００１１】
ピストンロッドの先端に、複数個所に同時に貫通穴を形成してハードディスクを破壊する複数本のパンチヘッドを設けるようにしてもよいし、被破壊ハードディスク駆動装置の収納ケースを、ベース上で位置移動せしめる移動手段を設け、ピストンロッドの複数回の進退により複数個所に貫通穴を形成してハードディスクを破壊せしめるようにしてもよい。
このような構成とすることで、ケースの開封など厄介な作業を伴うことなく、ハードディスク駆動装置を移動させて貫通穴形成位置を調整しながらハードディスク駆動装置の筐体ケースごと複数箇所に貫通穴を形成することができ、さらに、可搬型とすることで、コンピュータ管理者の目の前で作業を行うことができ、情報漏洩の可能性をなくすことができる。
【００１２】
【発明の実施の形態】
本発明の実施の形態を図面に基づいて説明する。
図１（ａ）、（ｂ）及び図２は、本発明によるハードディスクの破壊装置の構成を示したもので、それぞれ正面から見た断面図、側面から見た断面図及び上面から見た断面図である。
これらの図において、ハードディスク破壊装置本体１０は、ベース１１の上部に正面を開口した本体カバー１２が設けられ、この本体カバー１２の天板の略中心に下向きに貫通させてシリンダ１３が設けてある。このシリンダ１３には、圧力源３０が接続され、この圧力源３０によって油圧、水圧又は空気圧などが供給される。ハードディスクを破壊するための貫通穴を形成するのに必要な貫通圧力は、３．５インチのハードディスクでは、約１トン、２．５インチのハードディスクでは、約０．５トンであり、この圧力を供給できる圧力源であれば、油圧、水圧、空気圧の他、機械的なものなど、どのようなものでもよい。
【００１３】
このシリンダ１３は、カバー１２の内部の背板部分の背面支柱１６、天板部分のシリンダ保持部材１５、筋交いなどの補強部材１７によって十分な機械的強度を持って保持されている。このシリンダ１３の下部には、ピストンロッド９に連結したパンチヘッド１４が進退自在に設けてある。このパンチヘッド１４には、先端を順次小径としたものの他に、図３（ａ）に示すようなストレートパンチ（１４）、（ｂ）に示すような段階的に小径とした段付のバーリングパンチ（１４）を用いることができる。材質は超硬合金などで直径８〜１０ｍｍ、長さ約７２ｍｍ程度に構成する。どちらを用いてもハードディスク駆動装置を破壊することが可能であるが、（ａ）のストレートパンチよりも（ｂ）のバーリングパンチの方がより小さい圧力で貫通破壊できる。
また、（ｃ）に示すようなストレートパンチの先端に刃（１４ｃ）を形成した刃付ストレートパンチ（１４）、（ｄ）に示すようなバーリングパンチの先端に刃（１４ｄ）を形成した刃付バーリングパンチ（１４）を用いることにより、さらに小さい圧力で貫通させることが可能になる。このことは重量軽減の為に、シリンダ１３及びその圧力源３０の小型軽量化に重要である。
【００１４】
このパンチヘッド１４の下方のベース１１上には、ハードディスク駆動装置収納ケース２０が設けられている。このハードディスク駆動装置収納ケース２０は、例えば、３．５インチサイズハードディスク駆動装置３３を収納できる大きさをなし、下面に設けたスライドレール２１がベース１１の上面に形成した溝８に嵌合し、かつ、側方に設けたエアシリンダ１９によって、図１（ａ）及び図２の左右方向に移動可能な構成となっている。パンチヘッド１４の下方のベース１１には、パンチ貫通用穴２２が設けてあり、このパンチ貫通用穴２２の下部にダストケース２３が設けてある。
【００１５】
また、ベース１１の下部の４隅には、固定用の脚２４が設けられるとともに、それぞれの脚２４の内側に移動用のキャスター２５が設けられている。さらに、前記カバー１２の正面開口部分に、取手３１付きの前面扉１８がヒンジ７などで開閉自在に設けられている。また、ベース１１の上面の角隅に前記前面扉１８の開閉に合わせてオン・オフする前面扉スイッチ２８と、ベース１１の上面の正面手前側の本体カバー１２の両側に２個のスタートスイッチ２６、２７とが設けられ、これら前面扉スイッチ２８と２個のスタートスイッチ２６、２７を同時に押すことでのみ本装置を動作させるようにすることで、安全性を高める構造となっている。
【００１６】
前記ハードディスク駆動装置収納ケース２０は、図５（ａ−１）（ａ−２）に示す３．５インチサイズハードディスク駆動装置３３を収納できる大きさを有し、また、図５（ｂ−１）（ｂ−２）に示す小型の２．５インチサイズハードディスク駆動装置４３を収納するときには、後述のアダプタ５１を介在する。
【００１７】
先ず、３．５インチサイズハードディスク駆動装置３３と、２．５インチサイズハードディスク駆動装置４３の詳細を説明する。
３．５インチインチサイズハードディスク駆動装置３３は、約１０２ｍｍ×１４５ｍｍ×２５ｍｍの大きさの筐体ケース（図面では、１本の線で表している）で被覆され、内蔵の３．５インチディスク３４は、直径約９５ｍｍの大きさである。この３．５インチディスク３４が、ディスク保持金具３５によってモータ３６に連結されている。図５の例では、３．５インチディスク３４は、２枚具備しているが、１枚のものも、３枚以上のものも存在する。３．５インチディスク３４と連結したモータ３６は、シャーシ３７に取り付けられ、このシャーシ３７の下方には、回路基板４１が設けられている。また、筐体ケースの一方端には、信号コネクタ３８と電源コネクタ３９が設けられており、この信号コネクタ３８から磁気ヘッド４０で読み取ったデータを出力したり、外部からのデータを磁気ヘッド４０に伝えて書き込んだりする。
【００１８】
同様に、２．５インチインチサイズハードディスク駆動装置４３は、約７０ｍｍ×１００ｍｍ×１２ｍｍの大きさの筐体ケースで被覆され、内蔵の２．５インチディスク４４は、直径約６５ｍｍの大きさである。この２．５インチディスク４４が、ディスク保持金具４５によってモータ４６に連結されている。図５の例では、２．５インチディスク４４は、２枚固定されているが、１枚のものも、３枚以上のものも存在する。２．５インチディスク４４と連結したモータ４６は、シャーシ４７に取り付けられ、このシャーシ４７の下方には、回路基板５０が設けられている。また、筐体ケースの一方端には、信号コネクタ４８が設けられている。なお、２．５インチサイズハードディスク駆動装置４３には、電源コネクタは設けられておらず、信号コネクタ４８のみが設けられている。この信号コネクタ４８から磁気ヘッド４９で読み取ったデータを出力したり、外部からのデータを磁気ヘッド４９に伝えて書き込んだりする。
【００１９】
このように、ハードディスク駆動装置には、主に、３．５インチサイズのもの３３と、２．５インチサイズのもの４３があるが、前記ハードディスク駆動装置収納ケース２０は、３．５インチと２．５インチのどちらのディスクにも対応するように構成されている。また、ディスク３４，４４を構成する材料として、アルミ素材で構成されたものと、ガラス素材で構成されたものとがあるが、本発明装置によれば、材料の違いに関わらず、どちらの素材で形成されたディスクであっても確実に読み取り不可能な状態に破壊することが可能である。アルミディスクの場合は、パンチヘッド１４でバーリング状に貫通穴を形成することによってディスクを回転不能な状態にして読み取り不可能とし、ガラスディスクの場合は、パンチヘッド１４の貫通圧力でディスク自体を完全に粉砕することにより読み取り不可能とする。
【００２０】
次に、前記ハードディスク駆動装置収納ケース２０について図６を用いて説明する。
このハードディスク駆動装置収納ケース２０は、高さの低い箱型で、図６（ｂ）に示すように、前面側が開口し、かつ、両側に出し入れ用の切り欠き６が形成されてあり、この開口部の大きさは、３．５インチサイズハードディスク駆動装置３３よりも若干大きく構成して、ここからハードディスク駆動装置３３を挿入する。このハードディスク駆動装置収納ケース２０の内側の奥には、３．５インチサイズハードディスク駆動装置３３を挿入したときにその電源コネクタ３９と対応する位置に、ハードディスク駆動装置の識別用コネクタ３２が設けてある。そして、これらのコネクタ３９，３２が接続されることによってハードディスク駆動装置が挿入されたことを認識したときのみ本発明装置が作動し、この識別用コネクタ３２によって認識しないときは、本発明装置が作動しないように安全性を持たせる構成となっている。前記ハードディスク駆動装置収納ケース２０には、ディスク３４に対応する天板部分と底板部分とに約１５×８０ｍｍのパンチヘッド貫通用窓４２が開いており、このパンチヘッド貫通用窓４２を通してパンチヘッド１４が、収納したハードディスク駆動装置を筐体ケースごと上から下へ貫通破壊する。
【００２１】
また、ハードディスク駆動装置収納ケース２０の下側には、スライドレール２１が設けられ、このスライドレール２１は、ベース１１の上に形成された溝８に嵌合しつつ、エアシリンダ１９のピストンロッド５６でこの収納ケースを左右に移動させ、破壊位置を決める。エアシリンダ１９で移動させる距離は、少なくとも２つの貫通穴の間隔分だけ必要であるため、ピストンロッド５６の長さは、少なくとも３．５インチ時の貫通穴の間隔（約６５ｍｍ）程度とする。
【００２２】
図７に示すものは、２．５インチサイズハードディスク駆動装置用アダプタ５１である。前記ハードディスク駆動装置収納ケース２０は、３．５インチサイズハードディスク駆動装置３３に合わせた大きさとなっているため、これよりも小さい２．５インチサイズハードディスク駆動装置４３をハードディスク駆動装置収納ケース２０に直接挿入しても、内部での位置が固定されず、決まった位置に貫通穴をあけることができない。そこで、図７に示す２．５インチサイズハードディスク駆動装置用アダプタ５１を用いる。
【００２３】
この２．５インチサイズハードディスク駆動装置用アダプタ５１の外形寸法は、３．５インチサイズハードディスク駆動装置３３と略同じであり、その内部に２．５インチサイズハードディスク駆動装置４３を嵌め込むための嵌込み凹部５５を形成する。この嵌込み凹部５５は、３．５インチサイズハードディスク駆動装置３３と２．５インチサイズハードディスク駆動装置４３とで、第１の貫通穴の位置が同じ位置になるように形成する。また、ハードディスク駆動装置収納ケース２０に設けたパンチヘッド貫通用窓４２と位置関係が同じになるように、パンチヘッド貫通用窓５４を形成する。
【００２４】
前記嵌込み凹部５５の内側の奥には、２．５インチサイズハードディスク駆動装置４３の信号コネクタ４８に対応した位置に信号端子抽出コネクタ５３が設けてあり、識別に必要な特定の端子を抽出する。具体的には、２．５インチサイズハードディスク駆動装置４３の信号コネクタ４８は、４４ピンのコネクタで、このうち内部で互いにショートしているグランド端子部分、例えば２２、２４、２６ピンは互いにショートしたグランド端子であり、このうち２本を抽出する。この抽出された２本のグランド端子は、３．５インチサイズハードディスク駆動装置３３の電源コネクタ３９の位置に対応した３．５インチサイズハードディスク駆動装置対応コネクタ５２の１番ピンと３番ピンに接続される。なお、この２．５インチサイズハードディスク駆動装置４３を破壊する場合にハードディスク駆動装置収納ケース２０をエアシリンダ１９で移動させる距離は、２．５インチ時の貫通穴の間隔（約４３ｍｍ）程度となる。
【００２５】
図８は、ハードディスク駆動装置の識別用コネクタ３２による識別回路及び２個のスタートスイッチ２６、２７、前面扉用スイッチ２８による安全装置の接続図である。
ハードディスク駆動装置の識別用コネクタ３２には、３．５インチサイズハードディスク駆動装置３３の場合、電源コネクタ３９が接続され、また、２．５インチサイズハードディスク駆動装置４３のの場合、アダプタ５１のコネクタ５２が接続される。
３．５インチサイズハードディスク駆動装置３３の電源コネクタ３９は、１番ピンが＋１２Ｖ端子、２番ピンと３番ピンがグランド端子、４番ピンが＋５Ｖ端子となっており、２番と３番のグランド端子は、互いにショートしているため、これを識別用コネクタ３２に接続すると、識別用コネクタ３２の２番ピンと３番ピンの間が接続される。
２．５インチサイズハードディスク駆動装置４３の場合、アダプタ５１のコネクタ５２は、前述のように、１番ピンと３番ピンが互いにショートしたグランド端子であるため、これを識別用コネクタ３２に接続すると、識別用コネクタ３２の１番ピンと３番ピンの間が接続される。
【００２６】
ここで、図８に示すように、本発明の識別回路は、電源５７の一方端に一方のスタートスイッチ２６を介して識別用コネクタ３２の３番ピンに接続し、電源５７の他方端に他方のスタートスイッチ２７と前面扉用スイッチ２８と２．５インチ用リレー回路５８を直列に接続して識別用コネクタ３２の１番ピンに接続する。また、前面扉用スイッチ２８と２．５インチ用リレー回路５８の接続点と識別用コネクタ３２の２番ピンとの間に、３．５インチ用リレー回路５９を接続する。ここで、リレー回路５９は、３．５インチサイズハードディスク駆動装置３３が挿入された場合に、３．５インチ識別信号とシリンダ加圧スタート信号を出力する回路で、リレー回路５８は、２．５インチサイズハードディスク駆動装置４３が挿入された場合に、２．５インチ識別信号とシリンダ加圧スタート信号を出力する回路である。
【００２７】
図９は、前記識別回路からの３．５インチ識別信号又は２．５インチ識別信号と、シリンダ加圧スタート信号をもとに、ハードディスク駆動装置収納ケース２０の移動距離の調節とシリンダ１３の加圧を制御するシーケンスコントロール回路６０を示した図である。
【００２８】
上記のような構成における作用を説明する。
図１１において、ｔ１時に、取手３１で前面扉１８を開き、３．５インチのハードディスク駆動装置３３をハードディスク駆動装置収納ケース２０に収納すると、識別用コネクタ３２の２番ピンと３番ピンの間が短絡する。ｔ２時に、前面扉１８を閉めると、前面扉用スイッチ２８が閉じる。そして、ｔ３時に、スタートスイッチ２６、２７をともに押すと、リレー回路５９を通る閉回路が形成されて、電源５７がリレー回路５９に供給される。すると、リレー回路５９から、３．５インチ識別信号とシリンダ加圧スタート信号が、シーケンスコントロール回路６０にそれぞれ出力される。
【００２９】
同様に、２．５インチサイズハードディスク駆動装置４３をアダプタ５１を介して挿入した場合には、識別用コネクタ３２の１番ピンと３番ピンの間が短絡し、リレー回路５８を通る閉回路が形成されて、電源５７がリレー回路５８に供給される。すると、リレー回路５８から、２．５インチ識別信号とシリンダ加圧スタート信号が、シーケンスコントロール回路６０にそれぞれ出力される。
これらの識別信号をもとにハードディスク駆動装置収納ケース２０の移動距離が選択されるが、原位置での第１回目の破壊動作時には、収納されているハードディスク駆動装置が３．５インチか２．５インチかに拘らず、同一の場所であるため、ハードディスク駆動装置収納ケース２０の位置の移動は行われない。
【００３０】
シーケンスコントロール回路６０に、３．５インチ識別信号又は２．５インチ識別信号が入力されるとともに、シリンダ加圧スタート信号が入力されると、ｔ４時に、圧力源３０に対してシリンダ加圧信号を出力してシリンダ１３を加圧し、シリンダ１３の圧力が一定値以上に達したときにパンチヘッド１４が下降して天板部分の貫通用窓４２を通り、１つ目の貫通穴が開けられ、さらに、図５（ａ−３）又は（ｂ−３）に示すように、ハードディスク駆動装置収納ケース２０の底板部分の貫通用窓４２を突き抜けるまで下降しててディスクを破壊する。ハードディスクが破壊された後、ｔ５時に、シリンダ１３の圧力が減圧され、パンチヘッド１４は上昇して元の位置に戻る。
【００３１】
１つ目の貫通穴が開けられた後、ハードディスク駆動装置収納ケース２０を移動させるため、ｔ６時に、３．５インチ識別信号又は２．５インチ識別信号により移動距離を判断して、ハードディスク駆動装置収納ケース移動信号が電磁バルブ６２に出力される。この電磁バルブ６２は、圧縮空気入力部６１からの圧縮空気をエアシリンダ１９に出力し、エアシリンダ１９のピストンロッド５６を動作させる。これによって、エアシリンダ１９のピストンロッド５６が動作してハードディスク駆動装置収納ケース２０を目的の距離だけ移動させる。具体的には、３．５インチの場合には６５ｍｍ移動させ、２．５インチの場合には４３ｍｍ移動させる。
【００３２】
目的の位置までピストンロッド５６が移動すると、エアシリンダ１９からシーケンスコントロール回路６０に位置信号（６５ｍｍ位置信号、４３ｍｍ位置信号、原点信号）が入力され、この信号が目的の移動距離となったｔ７時に、再度、圧力源３０に対してシリンダ加圧信号を出力してシリンダ１３を加圧し、シリンダ１３の圧力が一定値以上に達したときにパンチヘッド１４が下降して２つ目の貫通穴が開けられ、ディスクを破壊する。破壊が終了すると、ｔ８時に、シリンダ１３の圧力が減圧され、パンチヘッド１４は上昇して元の位置に戻る。２つ目の貫通穴が開けられた後、ハードディスク駆動装置収納ケース移動信号が電磁バルブ６２に出力されて、この信号によってエアシリンダ１９のピストンロッド５６が動作し、ｔ９時に、ハードディスク駆動装置収納ケース２０が原点位置に戻される。
【００３３】
ｔ１０時に、２個のスタートスイッチ２６，２７をオフにし、ｔ１１時に、前面扉１８を開き、そのスイッチ２８をオフにし、破壊されたハードディスク駆動装置３３又は４３を除去する。これらの破壊されたハードディスク駆動装置３３又は４３は、２箇所の貫通穴を形成されることにより、ハードディスクの読み取りを不可能にする。すなわち、アルミディスクの場合は、パンチヘッド１４でバーリング状に貫通穴を形成することによってディスクを回転不能な状態にして読み取り不可能とし、ガラスディスクの場合は、パンチヘッド１４の貫通圧力でディスク自体を完全に粉砕することにより読み取り不可能とする。
【００３４】
本装置は、本体が幅約４００〜６００ｍｍ、奥行約４００〜６００ｍｍ、高さ約４００ｍｍで重さは約３５ｋｇと軽量小型化してあり、また、キャスター２５によって可搬型とすることで、本装置自体をコンピュータ管理者の所へ持って行き、目の前で使用してハードディスク駆動装置を破壊することが可能である。一般的に、ハードディスク等に重要な情報が記憶されている場合、コンピュータ管理者の手元を離れた時点で情報漏洩の疑いがあると判断されてしまう。しかし、目の前で破壊するところをコンピュータ管理者自身にも確認してもらうことで、情報漏洩の疑いがなく、より確実な破壊作業となる。
【００３５】
前記実施例では、シリンダ１３の先端に１本のパンチヘッド１４を取り付けてハードディスク駆動装置収納ケース２０をエアシリンダ１９によって移動させながら２箇所に貫通穴を開ける構成としたが、本発明はこれに限られるものではない。例えば、図１０（ａ）に示すように、ピストンロッド９の下端部に二股のヘッド取付け具５を介在して２本のパンチヘッド１４を所定間隔で取り付けたり、図１０（ｂ）に示すように、ピストンロッド９の下端部に三股のヘッド取付け具５を介在して３本のパンチヘッド１４を所定間隔で構成し、このパンチヘッド１４を用いて一度に２つ又は３つの貫通穴を形成するようにしてもよい。
このような構成とするには、１本の場合よりも大きな貫通圧力が必要となるため、シリンダ１３及び圧力源３０のサイズは大きなものが必要となり、重量も重くなってしまうが、一度に複数の貫通穴を形成できるため、作業効率は上昇する。この場合には、３．５インチと２．５インチでそれぞれパンチヘッド１４を用意して、一方の作業を連続で行った後、他方の作業に切り替えるようにする。また、ハードディスク駆動装置収納ケース２０をエアシリンダ１９によって移動させるためのエアシリンダ１９その他の機構を省くことができる。
【００３６】
前記実施例では、ハードディスク駆動装置を破壊する装置として説明したが、本発明は、同様の方法により、他の記憶媒体に対しても適応できるものである。
【００３７】
【発明の効果】
請求項１記載の発明によれば、ベース上に、被破壊ハードディスク駆動装置を収納する収納ケースと、この収納ケースを包囲するカバーとを設け、このカバーに、圧力源により駆動するシリンダを取り付け、このシリンダのピストンロッドの先端に、前記被破壊ハードディスク駆動装置に向けて前記ピストンロッドを進退して複数個所に貫通穴を形成してハードディスクを破壊するパンチヘッドを設けたとするようにしたので、ケースの開封など厄介な作業を伴うことなく、ハードディスク駆動装置を破壊することができる。
【００３８】
請求項２記載の発明によれば、ピストンロッドの先端に、複数個所に同時に貫通穴を形成してハードディスクを破壊する複数本のパンチヘッドを設けたので、１回の破壊作業で複数個所の破壊ができ、ハードディスク駆動装置を能率よく破壊することができる。
【００３９】
請求項３記載の発明によれば、被破壊ハードディスク駆動装置の収納ケースを、ベース上で位置移動せしめる移動手段を設け、ピストンロッドの複数回の進退により複数個所に貫通穴を形成してハードディスクを破壊せしめるようにしたので、ハードディスク駆動装置の種類を識別し、その種類に合わせてハードディスク駆動装置を移動させて貫通穴形成位置を調整しながらハードディスク駆動装置の複数箇所に貫通穴を形成して破壊することができる。
【００４０】
請求項４記載の発明によれば、ベースとカバーとに、安全スイッチを設け、ハードディスク駆動装置収納ケース内部に、ハードディスク駆動装置の特定の端子と接続するコネクタを設け、前記安全スイッチの信号と、前記コネクタからのハードディスク駆動装置の種類を表す信号とを導出したときに、ハードディスクの識別信号とシリンダ加圧スタート信号を出力してハードディスクに貫通穴を形成して破壊するようにしたので、ハードディスク駆動装置の破壊作業を安全に行うことができる。
【００４１】
請求項５記載の発明によれば、ハードディスクの識別信号とシリンダ加圧スタート信号を入力したとき、圧力源へのシリンダ加圧信号を出力するとともに、収納ケースを、ベース上で位置移動せしめる移動手段の制御信号を出力するシーケンスコントロール回路を具備したので、人手をほとんどかけずに能率よく、かつ、安全に破壊できる。
【００４２】
請求項６記載の発明によれば、ハードディスク駆動装置収納ケースは、３．５インチサイズハードディスク駆動装置が収納できる大きさとし、２．５インチサイズハードディスク駆動装置を挿入するときは、前記３．５インチサイズハードディスク駆動装置と略同一形状の２．５インチサイズハードディスク駆動装置用アダプタを用いるようにしたので、３．５インチサイズハードディスク駆動装置と２．５インチサイズハードディスク駆動装置の両方に対応することができる。
【００４３】
請求項７記載の発明によれば、本体ケース下部にキャスターを取り付けて可搬型としたので、コンピュータ管理者の目の前で作業を行うことができ、情報漏洩の可能性をなくすことができる。
【図面の簡単な説明】
【図１】本発明によるハードディスク破壊装置の一実施例を示したもので、（ａ）は正面から見た図２のａ−ａ線断面図、（ｂ）は側面から見た図２のｂ−ｂ断面図である。
【図２】図１におけるハードディスク破壊装置の上面から見た断面図である。
【図３】貫通穴を形成するためのパンチヘッドを示したもので、（ａ）はストレートパンチ、（ｂ）はバーリングパンチ、（ｃ）は刃付ストレートパンチ、（ｄ）は刃付バーリングパンチの一部の正面図と底面図である。
【図４】本発明によるハードディスク破壊装置を用いてハードディスク駆動装置を破壊した様子を示した正面から見た断面図である。
【図５】本発明で破壊可能なハードディスク駆動装置を示したもので、（ａ−１）は、３．５インチサイズハードディスク駆動装置を示した平面図、（ａ−２）は、３．５インチサイズハードディスク駆動装置を示した正面図、（ａ−３）は、３．５インチサイズハードディスク駆動装置に貫通穴を形成して破壊した様子を示した正面図であり、（ｂ−１）は、２．５インチサイズハードディスク駆動装置を示した平面図、（ｂ−２）は、２．５インチサイズハードディスク駆動装置を示した正面図、（ｂ−３）は、２．５インチサイズハードディスク駆動装置に貫通穴を形成して破壊した様子を示した正面図である。
【図６】ハードディスク駆動装置収納ケースを示したもので、（ａ）は正面から見た断面図、（ｂ）は上面から見た断面図、（ｃ）は側面から見た断面図である。
【図７】２．５インチサイズハードディスク駆動装置用アダプタを示したもので、（ａ）は平面図、（ｂ）は側面から見た断面図である。
【図８】識別用コネクタを用いた識別回路及び安全用のスイッチの構成を示した回路図である。
【図９】シーケンスコントロール回路の構成を示したブロック図である。
【図１０】パンチヘッドの他の実施例を示した斜視図である。
【図１１】シーケンスの動作波形図である。
【符号の説明】
５…ヘッド取付け具、６…切り欠き、７…ヒンジ、８…溝、９…ピストンロッド、１０…ハードディスク破壊装置本体、１１…ベース、１２…カバー、１３…シリンダ、１４…パンチヘッド、１５…シリンダ保持部材、１６…背面支柱、１７…補強部材、１８…前面扉、１９…エアシリンダ、２０…ハードディスク駆動装置収納ケース、２１…スライドレール、２２…パンチ貫通用穴２２、２３…ダストケース、２４…脚、２５…キャスター、２６…スタートスイッチ、２７…スタートスイッチ、２８…前面扉スイッチ、２９…ホース、３０…圧力源、３１…取手、３２…識別用コネクタ、３３…３．５インチサイズハードディスク駆動装置、３４…３．５インチディスク、３５…ディスク保持金具、３６…モータ、３７…シャーシ、３８…信号コネクタ、３９…電源コネクタ、４０…磁気ヘッド、４１…回路基板、４２…パンチヘッド貫通用窓、４３…２．５インチサイズハードディスク駆動装置、４４…２．５インチディスク、４５…ディスク保持金具、４６…モータ、４７…シャーシ、４８…信号コネクタ、４９…磁気ヘッド、５０…回路基板、５１…２．５インチサイズハードディスク駆動装置用アダプタ、５２…３．５インチサイズハードディスク駆動装置対応コネクタ、５３…信号端子抽出コネクタ、５４…パンチヘッド貫通用窓、５５…嵌込み凹部、５６…ピストンロッド、５７…電源、５８…リレー回路、５９…リレー回路、６０…シーケンスコントロール回路、６１…圧縮空気入力部、６２…電磁バルブ。
【図１】
2004071057.tif 000003
【図２】
2004071057.tif 000004
【図３】
2004071057.tif 000005
【図４】
2004071057.tif 000006
【図５】
2004071057.tif 000007
【図６】
2004071057.tif 000008
【図７】
2004071057.tif 000009
【図８】
2004071057.tif 000010
【図９】
2004071057.tif 000011
【図１０】
2004071057.tif 000012
【図１１】
2004071057.tif 000013